(57)【特許請求の範囲】
【請求項１】
演算処理を行うプロセッサと、前記プロセッサに接続された記憶部と、前記プロセッサに接続されたインターフェースとを有する計算機を備えて、前記計算機が保健指導を受ける指導対象者の生活記録を格納し、前記生活記録を参照して前記指導対象者に対する指導を支援する保健指導支援システムにおいて、
前記計算機は、
前記記憶部に格納されて、予め設定した生活改善項目を保持するメニュー情報と、
前記指導対象者毎に前記メニュー情報から選択した生活改善項目を前記記憶部に設定した保健指導プログラム情報に格納する保健指導プログラム登録部と、
前記指導対象者が実施した前記生活改善項目と、前記指導対象者の保健指導に関する指標と、を受け付けて、当該指導対象者の生活記録として前記記憶部に設定した生活記録情報に格納する生活記録部と、を備え、
前記指導対象者に設定された前記生活改善項目を実施できない状態が発生または発生する予定があるときにはイベントの種類を受け付けて前記生活記録情報に格納するイベント処理部と、
前記イベントが発生したときに保健指導に関する指標が改善した生活改善項目を前記イベントの種類に対応付けて格納した成功体験情報と、
を備え、
前記イベント処理部は、
前記イベントを受け付けたときに、前記受け付けたイベントの種類に対応する生活改善項目を前記成功体験情報から取得して、前記インターフェースに出力することを特徴とする保健指導支援システム。
【請求項２】
請求項１に記載の保健指導支援システムであって、
前記成功体験情報は、
前記保健指導に関する指標が改善した生活改善項目を実施した時刻を含み、
前記イベント処理部は、
前記イベントが発生する時刻を受け付けて、前記受け付けたイベントの種類と時刻に対応する生活改善項目を前記成功体験情報から取得して、前記インターフェースに出力することを特徴とする保健指導支援システム。
【請求項３】
請求項１に記載の保健指導支援システムであって、
前記成功体験情報は、
前記生活記録情報からイベントが発生した生活記録と、当該イベントの翌日の生活記録から保健指導の対象となる指標の差を求め、当該差が改善された生活記録について、当該生活記録の指導対象者が実施した生活改善項目を前記生活記録情報から取得し、前記イベントが発生した生活記録のイベントの種類と前記取得した生活改善項目を蓄積したことを特徴とする保健指導支援システム。
【請求項４】
請求項１に記載の保健指導支援システムであって、
新たな生活改善項目を受け付けて、当該新たな生活改善項目を前記メニュー情報に格納し、登録状態を仮登録として設定する仮登録部をさらに有し、
前記成功体験情報は、
前記イベントが発生したときに保健指導に関する指標が改善した生活改善項目として前記仮登録の新たな生活改善項目を含むことを特徴とする保健指導支援システム。
【請求項５】
演算処理を行うプロセッサと、前記プロセッサに接続された記憶部と、前記プロセッサに接続されたインターフェースとを有する計算機を制御するプログラムであって、
前記記憶部は、予め設定した生活改善項目をメニュー情報として保持し、
保健指導を受ける指導対象者毎に前記メニュー情報から選択した生活改善項目を保健指導プログラム情報として前記記憶部に格納する手順と、
前記指導対象者が実施した前記生活改善項目と、前記指導対象者の保健指導に関する指標を受け付けて、当該指導対象者の生活記録情報として前記記憶部に格納する手順と、
前記指導対象者に設定された前記生活改善項目を実施できない状態が発生または発生する予定があるときにはイベントの種類を受け付けて前記生活記録情報に格納する手順と、
前記イベントが発生したときに保健指導に関する指標が改善した生活改善項目を前記イベントの種類に対応付けて格納した成功体験情報を生成する手順と、
を含み、
前記指導対象者に設定された前記生活改善項目を実施できない状態が発生または発生する予定があるときにはイベントの種類を受け付けて前記生活記録情報に格納する手順は、
前記イベントを受け付けたときに、前記受け付けたイベントの種類に対応する生活改善項目を前記成功体験情報から取得して、前記インターフェースに出力する手順を前記プロセッサに実行させることを特徴とするプログラム。
【発明の詳細な説明】
【技術分野】
【０００１】
本発明は、疾病の予防，治療等の目的により対象者の食習慣，運動習慣などの生活習慣を改善するために行う保健指導を支援する保健指導支援システムに関する。
【背景技術】
【０００２】
近年、生活習慣病のひとつとして、内臓脂肪型肥満症（メタボリックシンドローム）が注目されている。メタボリックシンドロームは、内臓脂肪面積≧１００ｃｍ2（腹囲の場合は、男性≧８５ｃｍ、女性≧９０ｃｍ）という基準を超え、血中脂質や血圧または血糖値の何れかのリスクを２つ以上有する状態を指し、動脈硬化や心疾患または脳血管疾患のリスクが高くなると言われている疾患である。
【０００３】
健診施設などでは、受診者がメタボリックシンドロームや肥満と診断されると、医師や保健師など（以下、指導者）が減量を指示する。特に、指導者が強い介入指導が必要と判断した受診者には、受診者の体重に合わせた目標体重を設定し、目標体重に向けて改善すべき生活習慣を生活改善項目として提案した減量プログラムを実施する場合がある。この場合、指導者は減量プログラムの参加者（以下、参加者）の目標体重を達するためのカロリーの計算を行い、目標体重へ減量するために必要な食生活や運動量に関する生活改善項目を立案して提示することになる。そして、参加者は、提示された生活改善項目の実行状況と体重の変化を指導者に報告し、目標体重に向けて減量に取り組むことになる。
【０００４】
このような減量プログラムを支援する技術としては、参加者の目標体重や食事状況、運動状況に応じて、摂取カロリーや消費カロリーの目標値を提示したり、その目標値を満たすための食事制限や運動方法などの生活改善項目を提示する技術が知られている（例えば、特許文献１参照）。
【先行技術文献】
【特許文献】
【０００５】
【特許文献１】特開２００４−２２７５２２号公報
【発明の概要】
【発明が解決しようとする課題】
【０００６】
しかしながら、上記従来の方法では、参加者は、指導者があらかじめ準備した（限られた）生活改善項目の選択肢の中から実行可能な生活改善項目を選択することになり、必ずしも個人にあったダイエット方法とはならない場合もある。これに対して、生活改善項目の選択肢を増やすことで対応しようとした場合、指導者が生活改善項目毎にそのカロリーや実行時の負荷を考慮して準備する必要があるため、指導者の作業負荷を増やすことになる。さらに、参加者個人の生活パターンや個人の嗜好に合うような減量に取り組みやすい生活改善項目を設定するために、指導者と参加者の間で時間をかけて対話を行う必要があるため、選択肢が増えるほどその時間と手間が増大する。以上のことから、やみくもに選択肢を増やすことは、指導者の業務の増大、業務効率の低下につながる可能性がある。
【０００７】
また、参加者が減量開始時に選択した生活改善項目が、減量開始後に実行困難になる日がある。たとえば、出張、旅行、外食、休日などで食事のパターンが変化した日や、屋外での運動が制限される雨天の日などである。生活改善項目の設定のために指導者と参加者が対話する時間は限られており、上記のケースを全て想定して選択することは困難である。このため、参加者が上記のケースに遭遇した場合には、参加者自身がその都度実行できることを考えて行動しなければならず、上記のケースに遭遇して生活改善項目を実行しない日が続くと減量失敗の要因となる。
【０００８】
そこで本発明は、過去の参加者の減量実績を活用して指導者や参加者に生活改善項目の設定に役立つ情報を提示することにより、保健指導を効果的かつ効率的に実施する保健指導支援システムを提供することを目的とする。
【課題を解決するための手段】
【００１０】
本発明は、演算処理を行うプロセッサと、前記プロセッサに接続された記憶部と、前記プロセッサに接続されたインターフェースとを有する計算機を備えて、前記計算機が保健指導を受ける指導対象者の生活記録を格納し、前記生活記録を参照して前記指導対象者に対する指導を支援する保健指導支援システムにおいて、前記計算機は、前記記憶部に格納されて、予め設定した生活改善項目を保持するメニュー情報と、前記指導対象者毎に前記メニュー情報から選択した生活改善項目を前記記憶部に設定した保健指導プログラム情報に格納する保健指導プログラム登録部と、前記指導対象者が実施した前記生活改善項目と、前記指導対象者の保健指導に関する指標と、を受け付けて、当該指導対象者の生活記録として前記記憶部に設定した生活記録情報に格納する生活記録部と、を備え、前記指導対象者に設定された前記生活改善項目を実施できない状態が発生または発生する予定があるときにはイベントの種類を受け付けて前記生活記録情報に格納するイベント処理部と、前記イベントが発生したときに保健指導に関する指標が改善した生活改善項目を前記イベントの種類に対応付けて格納した成功体験情報と、を備え、前記イベント処理部は、前記イベントを受け付けたときに、前記受け付けたイベントの種類に対応する生活改善項目を前記成功体験情報から取得して、前記インターフェースに出力する。
【発明の効果】
【００１１】
したがって、本発明によれば、指導対象者が独自に取り組む生活改善項目を共有化することにより、参加者のニーズや取り組み実態もとに準備すべき生活改善項目を設定できる。また、生活改善項目の実行が困難なイベントが発生した場合には、過去のイベントを克服した指導対象者の成功事例を提示することにより、指導対象者が取り組みやすい生活改善項目を提示できる。
【図面の簡単な説明】
【００１２】
【図１】本発明の実施の形態の計算機システムの構成を示すブロック図である。
【図２】本発明の実施の形態の計算機システムの参加者管理データベースの構成を示す説明図である。
【図３】本発明の実施の形態の計算機システムの減量プログラムデータベースの構成を示す説明図である。
【図４】本発明の実施の形態の計算機システムの減量記録データベースの構成を示す説明図である。
【図５】本発明の実施の形態の計算機システムのメニューデータベースの構成を示す説明図である。
【図６】本発明の実施の形態の計算機システムのメニュー実施状況データベースの構成を示す説明図である。
【図７】本発明の実施の形態の計算機システムによる処理の概要を示すフローチャートである。
【図８】本発明の実施の形態の計算機システムの減量プログラム登録画面の説明図である。
【図９】本発明の実施の形態の計算機システムの減量記録登録画面の説明図である。
【図１０】本発明の実施の形態の計算機システムのメニュー追加依頼画面の説明図である。
【図１１】本発明の実施の形態の計算機システムのメニュー仮登録画面の説明図である。
【図１２】本発明の実施の形態の計算機システムのメニュー本登録画面の説明図である。
【図１３】本発明の実施の形態の計算機システムの予定イベント入力画面の説明図である。
【図１４】本発明の実施の形態の計算機システムのイベント別メニュー表示画面の説明図である。
【図１５】本発明の実施の形態の計算機システムのイベント別メニュー表示画面の説明図である。
【図１６】本発明の実施の形態の計算機システムの成功体験データベースの構成を示す説明図である。
【図１７】本発明の実施の形態の計算機システムのメニュー選択画面の説明図である。
【図１８】本発明の実施の形態の計算機システムのイベント別メニュー提示手段の処理の詳細を示すフローチャートである。
【図１９】本発明の実施の形態の計算機システムの減量効果の算出方法の概念を示す説明図である。
【図２０】本発明の実施の形態の計算機システムの減量効果の算出方法の概念を示す説明図である。
【発明を実施するための形態】
【００１３】
以下、本発明の一実施形態を添付図面に基づいて説明する。
【００１４】
図１は、本発明の実施の形態の保健指導支援システム（以下、本システムとする）の構成を示すブロック図である。本システムは、管理者端末装置１００、指導者端末装置２００、参加者端末装置３００及びサーバ４００を備える。ここで、管理者端末装置１００と指導者端末装置２００は同一でもよい。管理者端末装置１００、指導者端末装置２００、参加者端末装置３００及びサーバ４００は、ネットワーク５００を介して接続されている。
【００１５】
本実施形態では、保健指導の一例として減量を目的とした生活習慣改善プログラムを提供する保健指導支援システムへ本発明を適用した場合について説明する。また、本実施形態では保健指導の対象者で生活習慣改善プログラムに取り組んでいる人を参加者、参加者に生活習慣改善の指導を行う人を指導者と称する。
【００１６】
本実施形態では、保健指導の対象として、体重の５％を目標体重として９０日間で減量する保健指導を支援する一例を示す。減量のための生活習慣を変える生活改善項目は、減量につながる行動が具体的に記載されたカード（減量メニュー＝生活改善項目）を選択することにより行う。このカードには、１００ｋｃａｌに相当する運動や食事（食事量を控えることや他のカロリーの低い食品に変更するなど）の行動が記載されている。以下、このカードを１００ｋｃａｌカードと称する。この１００ｋｃａｌカードは、具体的には、「ご飯茶碗２／３杯減らす」、「オレンジジュースを１００ｍｌ控える」、「徒歩２５分増やす」などの行動が記載されている。参加者は、自ら実行可能な１００ｋｃａｌカードを予め選択しておく。このとき、同じ種類のカードを複数選択することも可能である。例えば、ジョギングを約２０分実施する場合、「ジョギング１０分増やす」という１００ｋｃａｌカード（ジョギングは、体重に依存するが、おおよそ１０分で１００ｋｃａｌの消費に相当）を２枚選択する。目標体重までの体重の減少量に応じて日々実施するカードの目標枚数を予め設定し、上述の予め選択した１００ｋｃａｌカードから目標とする枚数を実施することが行動目標となる。なお、以下では保健指導の対象となる健康に関する指標として減量の例を示すが、血圧や血糖値や腹囲など、他の健康に関する指標を保健指導の対象とすることができる。
【００１７】
図１において、管理者端末装置１００、指導者端末装置２００及び参加者端末装置３００は、各々、プロセッサ、メモリ、通信インターフェース、記憶装置及びユーザインターフェースを備える計算機である。なお、これらの端末装置１００〜３００は、アプリケーションプログラム（例えば、Ｗｅｂブラウザ）が動作するＰＤＡや携帯電話機等の携帯端末であってもよい。
【００１８】
サーバ４００は、プロセッサ、メモリ、記憶装置及び通信インターフェースを備える計算機である。サーバ４００には、参加者情報登録手段Ｍ１、減量プログラム登録手段Ｍ２、減量記録登録手段Ｍ３、メニュー追加依頼手段Ｍ４、メニュー仮登録手段Ｍ５、メニュー本登録手段Ｍ６、イベント別メニュー提示手段Ｍ７、成功体験登録手段Ｍ８を備える。これらの各機能は、記憶媒体としての記憶装置からメモリに読み込まれたプログラムをプロセッサが実行することによって提供される。
【００１９】
サーバ４００の記憶装置には、指導者管理データベースＤ１、参加者管理データベースＤ２、減量プログラムデータベースＤ３、減量記録データベースＤ４、メニューデータベースＤ５、メニュー実施状況データベースＤ６、メニュー追加候補データベースＤ７、成功体験データベースＤ８が格納される。
【００２０】
指導者管理データベースＤ１は、本システムによる保健指導を実施する指導者の識別子（以下、指導者ＩＤ）やパスワード、氏名などの情報が登録される。
【００２１】
参加者管理データベースＤ２は、図２に示すように、本システムによる保健指導を受ける参加者の情報が登録される。
【００２２】
減量プログラムデータベースＤ３は、図３に示すように、本システムによる保健指導を受ける参加者の減量プログラムに関する情報が登録される。減量プログラムに関する情報は、保健指導プログラムで実施すべき生活改善項目や保健指導の指標（この例では、体重）の目標値を含む。
【００２３】
減量記録データベースＤ４は、図４に示すように、本システムによる保健指導を受ける参加者の日々の減量の記録に関する情報が登録される。
【００２４】
メニューデータベースＤ５は、図５に示すように、本システムによる保健指導において、食事を減らす、運動を増やすなど、指導者が参加者に提示する減量のための生活改善項目（以下、メニューと呼ぶ）に関する情報が登録される。
【００２５】
メニュー実施状況データベースＤ６は、図６に示すように、本システムによる保健指導を受ける参加者の日々のメニューの実施状況に関する情報が登録される。
【００２６】
メニュー追加候補データベースＤ７は、本システムによる保健指導を受ける参加者が指導者に対してメニューとして追加登録を依頼する生活改善項目に関する情報が登録される。
【００２７】
成功体験データベースＤ８は、図１６に示すように、本システムによる保健指導を受ける参加者の成功体験に関する情報が登録される。
【００２８】
図２は、参加者管理データベースＤ２の構成を示す説明図である。
【００２９】
参加者管理データベースＤ２は、本システムによる保健指導を受ける参加者の情報が登録されるデータベースである。参加者管理データベースＤ２は、参加者ＩＤ２０１、パスワード２０２、氏名２０３、性別２０４、生年月日２０５、メールアドレス２０６を含む。
【００３０】
参加者ＩＤ２０１には、参加者を識別するための識別子（以下、参加者ＩＤ）が登録される。参加者ＩＤ２０１は、本システムにおいて、この参加者のデータを識別するために使用される。また、参加者ＩＤ２０１は、パスワード２０２と共に、この参加者が本システムにアクセスするときに用いられる。氏名２０３には参加者の氏名が、性別２０４には参加者の性別が、生年月日２０５には参加者の生年月日が、メールアドレス２０６には参加者のメールアドレスが登録される。
【００３１】
図５は、メニューデータベースＤ５の構成を示す説明図である。
【００３２】
メニューデータベースＤ５は、本システムによる保健指導において指導者が参加者に提示するメニュー（生活改善項目）に関する情報が登録されるデータベースである。メニューデータベースＤ５は、メニューＩＤ５０１、メニュー名称５０２、分類５０３、登録状態５０４を含む。
【００３３】
メニューＩＤ５０１には、メニューを識別するための識別子（以下、メニューＩＤ）が登録される。メニュー名称５０２には、「ご飯茶碗２／３杯減らす」、「徒歩２５分増やす」などのメニューの名称が登録される。分類５０３には、このメニューの分類に必要な情報が複数の階層に分かれて登録される。図５の例では、種別として「食事」、「運動」が登録されており、「食事」の中のカテゴリとして「主食」、「間食」など、「運動」の中のカテゴリとして「歩行」、「スポーツ」などが登録されている。登録状態５０４には、このメニューが本登録されたものか、仮登録状態のものかを判別する情報が登録される。なお、減量のメニューのうち、本登録のメニューは全ての参加者が選択可能なメニューであり、仮登録のメニューは既に減量のメニューを実施している参加者のみ、換言すれば初めての減量のメニューを選択する参加者以外が選択可能なメニューである。なお、本登録及び仮登録のメニューについては後述する。
【００３４】
なお、各メニュー名称５０２（メニュー）が示す生活改善項目は、一つのメニューが所定の熱量（例えば、１００Ｋｃａｌ）に相当し、参加者は指導者の指導の元に複数のメニューを選択し、各メニューを実行することで、円滑に体重の減少を図ることができる。
【００３５】
図３は、減量プログラムデータベースＤ３の構成を示す説明図である。
【００３６】
減量プログラムデータベースＤ３は、参加者が取り組む減量プログラムに関する情報が登録されるデータベースである。減量プログラムデータベースＤ３は、減量プログラムＩＤ３０１、参加者ＩＤ３０２、登録日３０３、担当指導者ＩＤ３０４、減量開始日３０５、身長３０６、開始時体重３０７、目標体重３０８、選択メニュー３０９を含む。
【００３７】
減量プログラムＩＤ３０１には、減量プログラムを識別するための識別子（以下、減量プログラムＩＤ）が登録される。参加者ＩＤ３０２には、参加者を識別するための参加者ＩＤが登録され、参加者管理データベースＤ２の参加者ＩＤ２０１と共通の識別子が使用される。登録日３０３には、この減量プログラムが登録された年月日が登録される。担当指導者ＩＤ３０４には、この参加者に対する保健指導を担当する指導者の指導者ＩＤが登録される。担当指導者ＩＤ３０４は、指導者データベースＤ１の指導者ＩＤと共通の識別子が使用される。減量開始日３０５には減量を開始する年月日が、身長３０６には参加者の身長が、開始時体重３０７には減量開始時の参加者の体重が、目標体重３０８には減量期間終了時の参加者の目標体重が登録される。選択メニュー３０９には、参加者が減量のために取り組むメニューのメニューＩＤが１つ以上登録され、メニューデータベースＤ５のメニューＩＤ５０１と共通の識別子が使用される。
【００３８】
図３の例では、参加者ＩＤ「Ｐ０００１」で識別される参加者の選択メニュー３０９は、１つ目がメニューＩＤ「Ｍ０００１」すなわち図５のメニューデータベースＤ５に示した「ご飯茶碗２／３杯減らす」で、２つ目がメニューＩＤ「Ｍ０００５」すなわちメニューデータベースＤ５に示した「徒歩２５分増やす」であることを示している（図５参照）。
【００３９】
減量プログラムは、減量開始後に参加者の意思や指導者の助言に基づいて変更される場合がある。この場合、減量プログラムデータベースＤ３の情報は、減量プログラムＩＤ６０１が新たに付与され、新規レコードとして登録される。図６の例では、減量プログラムＩＤ「Ｇ０００１」と「Ｇ０００２」がどちらも参加者ＩＤ「Ｐ０００１」の参加者の減量プログラムであるが、登録日が「２００７／１２／３１」と「２００８／０１／１２」で異なっており、この参加者が日付「２００８／０１／１２」の時点で減量プログラムを変更したことを示している。具体的には、選択メニュー３０９のメニューＩＤ「Ｍ０００５」が「Ｍ０００６」すなわち「ジョギング１０分増やす」に変更されている（図５参照）。このように、変更前後の情報を別レコードとして登録しておくことにより、参加者や指導者が過去の減量プログラムを振り返ることができるため、次に減量プログラムを変更しようとする場合やその際に実施する指導において、参加者や指導者の意思決定を支援することができる。
【００４０】
図４は、減量記録データベースＤ４の構成を示す説明図である。減量記録データベースＤ４は、参加者の日々の減量の記録に関する情報が登録されるデータベースである。減量記録データベースＤ４は、参加者ＩＤ４０１、日付４０２、体重４０３、イベント４０４、コメント４０５を含む。
【００４１】
参加者ＩＤ４０１には、参加者を識別するための参加者ＩＤが登録され、参加者管理データベースＤ２の参加者ＩＤ２０１と共通の識別子が使用される。日付４０２には参加者の減量に関する情報の年月日が、体重４０３には日付４０２における参加者の体重が、イベント４０４には日付４０２に発生したイベント（休日、飲み会、外食、出張、旅行、雨天など）を識別するための数値が登録される。コメント４０５には日付４０２における生活改善の取り組み状況など参加者の減量に関するコメントが登録される。
【００４２】
図６は、メニュー実施状況データベースＤ６の構成を示す説明図である。
【００４３】
メニュー実施状況データベースＤ６は、本システムによる保健指導を受ける参加者の日々のメニューの実施状況に関する情報が登録されるデータベースである。メニュー実施状況データベースＤ６は、参加者ＩＤ６０１、日付６０２、メニューＩＤ６０３、実施時刻６０４、評価点６０５を含む。
【００４４】
参加者ＩＤ６０１には、参加者を識別するための参加者ＩＤが登録され、参加者管理データベースＤ２の参加者ＩＤ２０１と共通の識別子が使用される。日付６０２には、参加者がメニューを実施した年月日が登録される。メニューＩＤ６０３には、参加者が実施したメニューのメニューＩＤが登録され、メニューデータベースＤ５のメニューＩＤ５０１と共通の識別子が使用される。実施時刻６０４には、参加者がメニューを実施した時刻が登録される。評価点６０５には、仮登録状態のメニューを実施した場合に、取り組みやすかったかどうかなど、実施した参加者による主観的な評価の点数が登録される（評価点の利用方法については後述する）。
【００４５】
図１６は、成功体験データベースＤ８の構成を示す説明図である。
【００４６】
成功体験データベースＤ８は、本システムによる保健指導を受けた参加者の成功体験に関する情報が登録されるデータベースである。成功体験データベースＤ８は、イベント１７０１、メニューＩＤ１７０２、実施時刻別成功回数１７０３を含む。なお、成功体験データベースＤ８に格納される情報は、後述する図７の処理Ｍ８で登録される。
【００４７】
イベント１７０１には、発生したイベントを示す数値が１つ以上登録され、減量記録データベースＤ４のイベント４０４と共通の数値が使用される。イベント１７０１は、同じ日に複数のイベントが発生した場合、例えば「休日」、「飲み会」が発生した場合は「１、２」のようにカンマ区切りで表現される。メニューＩＤ１７０２には、イベント１７０１が発生した日に参加者が実施したメニューのメニューＩＤが登録され、メニューデータベースＤ５のメニューＩＤ５０１と共通の識別子が使用される。
【００４８】
実施時刻別成功回数１７０３には、イベント１７０１が発生した日に当該メニューを実施した参加者のうち、翌日の体重が減少した参加者の延べ人数が実施時刻別に登録される。例えば、ある参加者が減量期間中に「飲み会」があった日が３日あり、その３日ともメニューＩＤ「Ｍ０００１」を「１２時〜１８時」に実施して、そのうちの２回が翌日に体重が減った場合は、イベント「２」メニューＩＤ「Ｍ０００１」実施時刻別成功回数「１２時〜１８時」の欄の数値のうちこの参加者の成功回数は２である。
【００４９】
すなわち、成功体験データベースＤ８には、イベントが発生した後に、保健指導の対象となる健康の指標が改善したメニューＩＤと、メニューを実施した時間帯が格納される。なお、成功体験データベースＤ８は、所定の周期（例えば、２４時間）毎にサーバ４００が更新する。例えば、サーバ４００は、減量記録データベースＤ４のイベント４０４と体重４０３と日付４０２と参加者ＩＤ４０１を読み込んで、イベント４０４が発生した翌日の体重が減少している参加者ＩＤと日付を抽出する。次に、サーバ４００は、メニュー実施状況データベースＤ６を参照し、参加者ＩＤと日付からメニューＩＤ６０３と実施時刻６０４を取得し、上記イベント４０４から成功体験データベースＤ８を更新する。つまり、イベント４０４を成功体験データベースＤ８のイベント１７０１に設定し、メニューＩＤ６０３を成功体験データベースＤ８のメニューＩＤ１７０２に設定し、実施時刻別成功回数１７０３には実施時刻６０４に該当する値に１を加算する。
【００５０】
この成功体験データベースＤ８により、イベントの種類に応じて、どのメニューを何時実施すればイベントが発生したときにも保健指導の対象の指標を改善できるかを参加者または指導者に提示することができる。なお、成功体験データベースＤ８のメニューＩＤには仮登録のメニューを含むことができる。
【００５１】
図７は、本システムによる処理の概要を示すフローチャートである。
【００５２】
まず、指導者端末装置２００が、本システムによる保健指導を受ける参加者の情報の入力を受け付ける（図示せず）。入力された参加者の情報はサーバ４００の参加者管理データベースＤ２に登録される（Ｍ１）。
【００５３】
次に、指導者端末装置２００が、参加者の減量プログラムに関する情報の入力を受け付ける（図８参照）。入力された減量プログラムに関する情報はサーバ４００の減量プログラムデータベースＤ３に登録される（Ｍ２）。この時点で、参加者はメニューデータベースＤ５から実施するメニューをメニューデータベースＤ５のメニューから選択し、指導者は参加者の目標体重３０８等を設定する。ここで、参加者が初めて減量のメニューを選択する場合、サーバ４００は、メニューデータベースＤ５のメニューのうち、本登録のメニューのみをインターフェースとしての指導者端末装置２００へ出力可能とし、本登録のみのメニューから選択を受け付ける。一方、参加者が２回目以降の減量のメニューの選択を行う場合、例えば、減量のメニューの変更などでは、サーバ４００は、メニューデータベースＤ５の本登録及び仮登録の全てのメニューをインターフェースとしての指導者端末装置２００または参加者端末装置３００へ出力可能とし、全ての減量のメニューから選択を受け付ける。後述するように、メニューデータベースＤ５の仮登録のメニューは、参加者が提案したメニューであり、当該仮登録の減量のメニューの効果が明確になるまで、指導者は当該仮登録のメニューを本登録へ移行させない。なお、サーバ４００は、参加者のＩＤから減量プログラムデータベースＤ３を参照し、選択メニュー３０９にメニューＩＤが記録されていなければ初回の参加者と判定し、メニューＩＤが記録されていれば２回目以降の減量のメニューの選択を行う参加者として判定する。
【００５４】
図８は、サーバ４００が指導者端末装置２００に出力する減量プログラム登録画面の一例を示す画面イメージである。
【００５５】
減量プログラム登録画面は、参加者ＩＤを入力する入力欄８０１と、参加者管理データベースＤ２の参加者ＩＤ２０１に対応する参加者氏名を表示する表示欄８０２と、担当指導者ＩＤを入力する入力欄８０３、指導者管理データベースＤ１から担当指導者ＩＤに対応する担当指導者のうち主となる担当指導者の氏名を表示する表示欄８０４と、当該参加者の減量開始日を入力する入力欄８０５と、当該参加者の身長を入力する入力欄８０６と、当該参加者の減量開始時点の体重を入力する入力欄８０７と、指導者が設定した目標体重を入力欄８０８と、参加者または指導者が選択したメニューのＩＤを入力する入力欄８０９と、メニューデータベースＤ５からメニューＩＤに対応するメニュー名称５０２を出力する表示欄８１０と、メニューを追加するための「１行追加」ボタン８１３と、メニューを削除するための「１行削除」ボタン８１４と、各入力欄の情報をサーバ４００に送信する「決定」ボタン８１５を備える。図８においては、「１行追加」ボタン８１３をクリックした結果、メニューＩＤの入力欄８１１と表示欄８１２からなる１行が追加され、入力欄８１１へ入力されたメニューＩＤに対応するメニュー名称５０２が表示欄８１２に出力されている。「決定」ボタン８１５をクリックすることで、各入力欄の値は、サーバ４００に送信されて、減量プログラムデータベースＤ３に登録される。
【００５６】
次に、参加者端末装置３００が、参加者の日々のデータ（体重、メニュー実施状況、イベント等の生活記録）の入力を受け付ける（図９参照）。入力されたデータは、生活記録としてサーバ４００の減量記録データベースＤ４及びメニュー実施状況データベースＤ６に登録される（Ｍ３）。参加者は、体重、実施したメニューと実施した時刻、その日起こったイベント（出張、旅行、外食、休日、雨天など）をシステム（サーバ４００の減量記録データベースＤ４及びメニュー実施状況データベースＤ６）に入力する。
【００５７】
図９は、サーバ４００が参加者端末装置３００に出力する減量記録登録画面の一例を示す画面イメージである。この減量記録登録画面は、参加者端末装置３００から参加者ＩＤとパスワードを入力することで表示される。
【００５８】
減量記録登録画面は、参加者の日々の減量記録を入力する入力領域９０１と、参加者の日々の減量記録を表示する表示領域９０２に大別される。
【００５９】
表示領域９０２は、当該参加者ＩＤに対応する減量記録データベースＤ４の体重４０３を日付順に並べたグラフ部９１０と、当該参加者ＩＤに対応するメニュー実施状況データベースＤ６の実施状況をアイコン９１１で表示した例を示す。なお、アイコン９１１は、日付毎に実行したメニューの数などに応じて予め設定したアイコンを表示することができる。
【００６０】
入力領域９０１は、減量記録の登録日を入力する入力欄９０３と、減量記録の登録日に測定した体重を入力する入力欄９０４と、減量記録の登録日に実施したメニューの時刻を入力する入力欄９０６、９０７、９１３と、当該参加者が選択しているメニュー名称５０２を表示するメニュー欄９０５と、減量記録の登録日における参加者の自己評価を入力する入力欄９１４と、選択したメニュー以外の実施項目を入力するための「その他」ボタン９０８と、減量記録の登録日に発生したイベントを入力する入力欄９０９と、予定された当該イベントがある場合に設定する「予定イベント」ボタン９１２と、減量記録の登録日における参加者のコメントを入力するコメント欄９１５と、入力した内容をサーバ４００に送信する「確定」ボタンを含む。「確定」ボタンをクリックすることで各入力欄の値は、サーバ４００に送信されて、減量記録データベースＤ４及びメニュー実施状況データベースＤ６に登録される。
【００６１】
メニューを実施した時刻は、図９のように本システムがあらかじめ「６時〜１２時」、「１２時〜１８時」のように定めた範囲を参加者が選択する（９０６）。また、例えば特定の時刻ではなく終日を通して実施可能なメニューも存在するため、時刻の指定をしない「指定なし」を選択することもできる（９０７）。また、参加者が「７：３０」のように実施時刻を直接入力してもよい。
【００６２】
参加者が選択メニュー以外で実施した生活改善項目があれば、ボタン９０８を押下する。実施した生活改善項目が既にメニューとしてメニューデータベースＤ５に含まれている場合、参加者は該当するメニューを選択する（図１７参照）。このとき、仮登録状態のメニューを選択した場合、そのメニューを実施した参加者自身が取り組みやすかったかどうか、効果を実感できたかどうかなどの主観的な評価を０〜１０の範囲で評価点として登録する（９１４）。評価点が１０に近いほど、この仮登録メニューに対する参加者の満足度が高いことを示す。
【００６３】
ボタン９０８押下後の画面（図１７参照）において，実施した生活改善項目がメニューデータベースＤ５に含まれない場合、参加者は、実施した生活改善項目について、食事・運動の種別、主食、おかず、酒類などのカテゴリ、量、単位などを入力し、指導者に対してメニューとして追加登録を依頼できる（図１０参照）。追加登録を依頼された生活改善項目はメニュー追加候補データベースＤ７に登録される（Ｍ４）。
【００６４】
図１０は、図９の画面の「その他」ボタン９０８をクリックしたときにサーバ４００が参加者端末装置３００に出力するメニューの追加登録依頼画面１００１の一例を示す画面イメージである。
【００６５】
参加者端末装置３００の表示装置には、図１０のメニューの追加登録依頼画面１００１が表示され、参加者端末装置３００の入力装置により参加者が指導者に依頼するメニューの追加登録の詳細を受け付ける。メニュー追加登録依頼画面１００１は、追加を依頼するメニューの種別と、カテゴリ及び品目から構成される。
【００６６】
種別は、食事と運動の何れかを選択する。カテゴリは、選択された種別が「食事」の場合、主食、おかず、酒類、飲料、間食の何れかを選択する。なお、種別として運動が選択された場合には、サーバ４００がメニューデータベースＤ５の分類５０３の種別が「運動」のカテゴリをメニュー追加登録依頼画面１００１に出力する。
【００６７】
品目は、メニュー追加登録依頼画面１００１で選択されたカテゴリが、主食の場合、サーバ４００はメニューデータベースＤ５の分類５０３のカテゴリが「主食」のメニュー名称５０２をメニュー追加登録依頼画面１００１に送信する。
【００６８】
参加者は、追加登録したいメニューが品目に存在しない場合には、品目として表示された「その他」を選択することで、追加登録したいメニューの「名称」１００２、「量」１００３及び「単位」１００４をメニュー追加登録依頼画面１００１から入力できる。そして、参加者端末装置３００から、図１０のメニューの追加登録依頼画面１００１の送信（メニューとして追加登録依頼）ボタン１００５をクリックすることで、「名称」１００２、「量」１００３及び「単位」１００４をサーバ４００へ送信し、メニュー追加候補データベースＤ７に登録する。
【００６９】
次に、指導者端末装置２００が、メニュー追加候補データベースＤ７に登録されている情報を指導者に提示し、参加者からメニューとして追加登録の依頼があった生活改善項目をメニューとしてメニューデータベースＤ５へ仮登録するかどうかの判断を受け付ける（図１１参照）。この処理は、サーバ４００が所定の周期（例えば、１日ごと）でメニュー追加候補データベースＤ７を検索し、新たに登録されたデータ（またはメニューデータベースＤ５に未登録のデータ）を指導者端末装置２００へ出力することができる。あるいは、指導者端末装置２００からの指令に応じてサーバ４００は、図１１のメニュー仮登録画面１１０１を出力することができる。なお、メニュー追加候補データベースＤ７の構造は、メニューデータベースＤ５の構成に、新たなメニューを追加した参加者のＩＤを格納するフィールドを設けたものであればよい。また、メニュー追加候補データベースＤ７の分類（種別とカテゴリ）は、後述のメニュー追加登録依頼画面１００１で選択した種別及びカテゴリを用いればよい。
【００７０】
図１１はサーバ４００が指導者端末装置２００へ提供するメニュー仮登録画面１１０１の一例を示す画面イメージである。メニュー仮登録画面１１０１は、メニュー追加候補データベースＤ７に登録された追加候補のメニュー（以下、仮メニューとする）を表示する仮メニュー表示領域１１０２と、仮メニューに対して操作を行うチェックボックス領域１１０３と、仮メニューを提案した参加者の減量履歴を表示する履歴領域１１０４と、を主体にして構成される。
【００７１】
仮メニュー表示領域１１０２には、メニュー追加候補データベースＤ７に登録された仮メニュー（参加者が提案したメニュー）が表示される。メニュー追加候補データベースＤ７に登録された仮メニューの提案した参加者の氏名と、仮メニューの種別及びカテゴリと、仮メニューの名称と、量及び単位が表示される。指導者端末装置２００のマウスなどの入力装置で、仮メニュー表示領域１１０２の行（参加者氏名など）を選択すると、履歴領域１１０４には当該仮メニューを提案した参加者の減量履歴がグラフとして表示される。
【００７２】
チェックボックス領域１１０３には、現在選択している仮メニューについて、「このまま仮登録」、「内容を変更して仮登録」、「このまま本登録」、「却下」、「差し戻し」の何れかを選択するチェックボックスが表示される。指導者端末装置２００でチェックボックス領域１１０３のうち何れかのチェックボックスをクリックした後に、「決定」ボタンをクリックすると、サーバ４００は選択されたチェックボックスに応じて、仮メニューの内容を更新あるいはメニューデータベースＤ５へ登録するなど、所定の処理を行う。「仮登録」または「本登録」の場合、サーバ４００は選択されたメニュー追加候補データベースＤ７のレコードを、メニューデータベースＤ５へ追加して、登録状態５０４を「仮登録」あるいは「本登録」に設定し、メニュー追加候補データベースＤ７から該当レコードを削除する。
【００７３】
指導者は、メニュー追加候補データベースＤ７の入力内容が減量のための生活改善項目として、誤解や危険性がないかなどを判断し、適切と判断したものをメニューとしてサーバ４００のメニューデータベースＤ５に仮登録する。指導者端末装置２００では、指導者が必要に応じてメニュー追加候補データベースＤ７の内容を変更することも可能である。また、指導者端末装置２００は、メニュー追加候補データベースＤ７のデータを、メニューデータベースＤ５へ仮登録せずに本登録することも可能である。
【００７４】
また、指導者端末装置２００では、上記メニューデータベースＤ５への登録の決定内容に関するコメントを参加者に送信できる。
【００７５】
指導者が仮メニューが適切ではないと判断した場合、メニュー仮登録画面１１０１において「却下」を選択することも可能である。また、指導者が仮メニューの情報が不足しているなどの理由で仮登録の適否を判断できない場合、メニュー仮登録画面１１０１において「差し戻し」を選択することも可能である。「却下」「差し戻し」が選択された場合、サーバ４００はメニュー追加候補データベースＤ７から該当レコードを削除する。また、指導者端末装置２００では、却下理由や差し戻し理由に関するコメントを参加者に送信できる。
【００７６】
指導者端末装置２００からの指令によって、仮登録を許可されたメニュー追加候補データベースＤ７の生活改善項目はメニューデータベースＤ５に登録状態５０４＝「仮登録」として登録され、本登録されたメニューと同様に他の参加者端末装置３００からも参照、選択可能になる（Ｍ５）。
【００７７】
次に、指導者端末装置２００では、メニューデータベースＤ５内の仮登録状態のメニューについて、参加者の実施状況と実施した参加者の主観的な評価点のデータをもとに、本登録するか否かの判断を受け付ける（図１２参照）。
【００７８】
図１２に示すメニュー登録画面１２０１は、サーバ４００が指導者端末装置２００からの要求に応じて提供する画面であり、メニューデータベースＤ５内の仮登録状態のメニューについて本登録へ移行させることができる。
【００７９】
メニュー登録画面１２０１は、メニューデータベースＤ５に仮登録されたメニューを表示する仮登録メニュー表示領域１２０２と、仮登録メニューに対して操作を行うチェックボックス領域１２０３とを主体にして構成される。
【００８０】
仮登録メニュー表示領域１２０２は、登録状態５０４が仮登録のメニューの名称と、仮登録メニューを実施した参加者の数を示す実施者数と、仮登録メニューが実施された回数と、減量効果と、評価の平均点が１行に表示される。実施者数は、メニュー実施状況データベースＤ６から当該仮メニューのＩＤを実施したレコードを抽出し、抽出したレコードから重複した参加者ＩＤ６０１を除外した数である。実施回数は、メニュー実施状況データベースＤ６から当該仮メニューのＩＤを実施したレコードの数である。
【００８１】
減量効果は、図１９に基づいてメニューごとに求めた値を表示する。評価点平均は、メニュー実施状況データベースＤ６の評価点６０５の平均値をメニュー毎に求めた値であり、当該仮登録メニューを実施した参加者がそれぞれ設定した値の平均値である。
【００８２】
チェックボックス領域１２０３には、現在選択している仮登録メニューについて、「本登録する」、「仮登録のまま」、「仮登録を解除する」の何れかを選択するチェックボックスが表示される。指導者端末装置２００でチェックボックス領域１２０３のうち何れかのチェックボックスをクリックした後に、「決定」ボタンをクリックすると、サーバ４００は選択されたチェックボックスに応じて、メニューデータベースＤ５を更新する。すなわち、「本登録する」をチェックした場合には、サーバ４００は当該メニューの登録状態を「本登録」に変更する。「仮登録を解除する」をチェックした場合には、サーバ４００は，メニューデータベースＤ５から該当レコードを削除し，メニュー追加候補データベースＤ７に仮メニューとして追加する。
【００８３】
仮登録メニュー毎に、実施状況と評価点平均を表示し、指導者はこれをもとに指導者が本登録するかどうか判断する。仮登録メニューの実施状況には、実施した参加者数、実施された延べ回数、減量効果（後述）などを含む。本登録を許可されたメニューはメニューデータベースＤ５に登録状態５０４＝「本登録」として登録される。（Ｍ６）。サーバ４００は、指導者が承認した仮登録メニューについて、メニューデータベースＤ５の登録状態５０４を本登録に更新する。
【００８４】
図１９、図２０は、メニューの実施状況のうち、図１２の仮登録メニュー表示領域１２０２に表示する減量効果の算出方法の概念図である。減量効果とは各メニュー毎に算出される値で、該当メニューを１回実施したことに相当する体重減少量を求めたものである。まず、参加者毎の体重減少量とメニュー実施回数より、メニュー別の体重減少相当量を算出する。これは、メニュー実施状況データベースＤ６から現在着目しているメニューの識別子と一致するメニューＩＤ６０３で参加者ＩＤ６０１を抽出し、抽出した参加者ＩＤ６０１のそれぞれについて減量記録データベースＤ４を参照して体重の減少量を求める。また、メニュー実施状況データベースＤ６を参照して、各メニュー毎に、参加者ＩＤ６０１の実施回数をそれぞれ求める。
【００８５】
例えば、参加者Ａの体重減少量は３．５ｋｇ、メニューａ、ｂ、ｃの実施回数はそれぞれ１００回、８０回、７０回であるので、図１９の参加者Ａで示すように、メニューａ、ｂ、ｃを実施したことによる体重減少相当量はそれぞれ、
１００×３．５／（１００＋８０＋７０）＝１．４０ｋｇ
８０×３．５／（１００＋８０＋７０）＝１．１２ｋｇ
７０×３．５／（１００＋８０＋７０）＝０．９８ｋｇ
と考えることができる。つまり、実施回数×体重減少量÷（メニュー実施回数の総和）を体重減少相当量として求める。
【００８６】
上記体重減少相当量を全ての参加者が実施した全てのメニューについてサーバ４００が計算する。次に、メニュー毎の実施回数と体重減少相当量より、メニュー１回実施あたりの体重減少量を算出する（これを減量効果と呼ぶ）。例えば、図２０で示すように、メニューａは、参加者Ａ、Ｂ、Ｃによって合計で２１０回実施され、体重減少相当量は合計で２．８９ｋｇ減少したと考えられる。したがって、メニューａの減量効果は、
（１．４０＋０．４５＋１．０４）／（１００＋２０＋９０）＝０．０１４ｋｇ
と考えることができる。同様に、メニューｂ、ｃの減量効果は、
（１．１２＋３．３８＋０．５８）／（８０＋１５０＋５０）＝０．０１８ｋｇ
（０．９８＋０．６８＋０．６９）／（７０＋３０＋６０）＝０．０１５ｋｇ
と考えることができる。減量効果が高いほど、少ない実施回数で効率よく体重をより減少できると考えられる。これにより、指導者は、仮登録メニューの客観的な指標として減量効果を参照しながら、本登録するかどうかを判断できる。
【００８７】
図１２では仮登録メニュー表示領域１２０２に上述した減量効果を表示する例を示したが、仮登録メニュー毎の体重減少相当量を表示しても良い。なお、減量効果は、保健指導の対象とする指標（体重）の変化度合（改善度合い）をメニュー毎の効果として求めたものである。
【００８８】
また、サーバ４００は、イベント発生日とその翌日にかけて体重が減少した（または増加しなかった）全ての参加者のメニュー実施状況を、成功体験として成功体験データベースＤ８に蓄積する（Ｍ８）。
【００８９】
例えば、図４において、参加者ＩＤ「Ｐ０００１」で識別される参加者は、日付「２００８／０１／０３」にイベント「２」＝「飲み会」があったが、翌日「２００８／０１／０４」には体重が減少している。図６において、この参加者のメニュー実施状況をみると、日付「２００８／０１／０３」にはメニューＩＤ「Ｍ０００１」（ご飯２／３杯減らす）を実施時刻「１２時〜１８時」に実施している。このとき、成功体験登録手段Ｍ８は、成功体験データベースＤ８のイベント「２」（飲み会）、メニューＩＤ「Ｍ０００１」（ご飯２／３杯減らす）のカウントを１増やす。
【００９０】
予定されるイベントを参加者が事前に登録すると、そのイベントに対応する成功体験をシステムが抽出し、過去の成功体験の中で実施された回数が多いメニューを参加者に提示する（図１３、図１４参照）。提示されたメニューを選択すると、該当日の減量記録登録画面（図９）上に選択したメニューが表示される（Ｍ７）。
【００９１】
図１３は、参加者端末装置３００が、サーバ４００へ予定のイベントを入力する際に表示装置に表示される予定イベント入力画面１３０１を示す。予定イベント入力画面１３０１は、参加者端末装置３００から参加者ＩＤとパスワードを入力することにより、サーバ４００が提供する。なお、予定イベント入力画面１３０１は、図９の減量記録登録画面の「予定イベント」ボタン９０８をクリックしたときに呼び出されるようにしても良い。
【００９２】
予定イベント入力画面１３０１では、イベントが予定される日付と、予定されるイベントの種類（休日、飲み会、外食、出張、旅行、雨天）を選択し、「結果表示」ボタンをクリックすることで、上記選択された日付とイベントの種類がサーバ４００に送信され、図１５の画面に遷移する。
【００９３】
図１４、図１５は、参加者端末装置３００が、サーバ４００へ予定のイベントを入力した後に表示装置に推薦されるメニューを提示するイベント別メニュー表示画面の一例を示す。通常とは異なる行動であるイベントが発生したときに、通常のメニューが実施できない場合が生じる。このため、イベント別メニュー表示画面は、イベントの設定を行ったときに、他の参加者が同様のイベントが発生したときに減量に成功したメニューを提示するメニュー提示部１６０１を有する。提示部１６０１には、複数のメニューのいずれかひとつを選択するチェックボックス１６０２を有し、参加者端末装置３００の入力装置でチェックボックス１６０２を選択し、「メニューを選択」ボタンをクリックすることで、当該参加者の減量記録データベースＤ４にイベントの種類と日付が格納され、当該参加者のメニュー実施状況データベースＤ６にメニューＩＤと実施時刻「指定なし」と日付が格納される。この時点ではイベントは予定であり、メニューも実施されていないが、実際にイベントが発生しなかった場合や選択メニューを実施しなかった場合は、参加者が減量記録登録画面で変更することが可能である。
【００９４】
図１８は、イベント別メニュー提示手段Ｍ７の処理の詳細を示すフローチャートである。イベント別メニュー提示手段Ｍ７は、減量記録登録画面（図９）において、参加者が予定イベントボタン９１２を押下することによってサーバ４００で処理が開始される。
【００９５】
まず、サーバ４００は、参加者端末装置３００上に予定イベント別入力画面（図１３）を表示し、参加者からの日付（本日または翌日以降の指定日）とその日に予定されるイベントの種類の選択を待つ（ステップ１９０１）。
【００９６】
次に、参加者が図１３の予定イベント入力画面１３０１で結果表示ボタンを押下すると、選択された日付に応じた処理を行う（ステップ１９０２）。日付に本日が選択されていればステップ１９０３に進み、翌日以降の指定日が選択されていればステップ１９０４に進む。
【００９７】
ステップ１９０３では、成功体験データベースＤ８を参照し、参加者が選択したイベント１７０１のうち、参加者が入力した時間帯以降の実施時刻別成功回数の合計が多い順にメニューＩＤ１７０２を抽出する。
【００９８】
ステップ１９０４では、成功体験データベースＤ８を参照し、参加者が選択したイベント１７０１の全ての時間帯について実施時刻別成功回数の合計が多い順にメニューＩＤ１７０２を抽出する。
【００９９】
ステップ１９０３及びステップ１９０４の後は、参加者端末装置３００上に抽出結果を表示するステップ１９０５を実行する。
【０１００】
図１４は、ステップ１９０３を経てステップ１９０５が実行された場合の参加者端末装置３００のイベント別メニュー表示画面の例を示す図である。成功体験データベースＤ８より、参加者が選択したイベント「飲み会」について、参加者が操作した時刻「１８：３０」を含む時間帯とそれ以降の時間帯及び「指定なし」に該当する実施時刻別成功回数の合計が多い順にメニューＩＤが抽出され、メニュー名称、合計成功回数、各時間帯における実施時刻別成功回数が表示される。これにより、減量中の参加者は、例えば当日に飲み会など急なイベントの予定が決まった後でも、過去の参加者の成功体験を参考にして、その日その時間帯以降に実施可能なメニューを選択できるようになる。
【０１０１】
図１５は、ステップ１９０４を経てステップ１９０５が実行された場合の参加者端末装置３００のイベント別メニュー表示画面の例を示す図である。成功体験データベースＤ８より、参加者が選択したイベント「休日」について、全ての時間帯について実施時刻別成功回数の合計が多い順にメニューＩＤが抽出され、メニュー名称、合計成功回数、各時間帯における実施時刻別成功回数が表示される。これにより、減量中の参加者は、過去の参加者の成功体験を参考にして、イベントが予定される日に実施可能なメニューを選択できるようになる。
【０１０２】
以上のように、参加者が独自に取り組む生活改善項目を他の参加者と共有することにより、参加者のニーズや取り組みの実態のもとに準備すべき生活改善項目を設定できる。また、予め設定した生活改善項目の実行が困難なイベントが発生した場合には、過去のイベントを克服した参加者の成功実績を提示することにより、参加者が取り組みやすい生活改善項目を提示できる。
【０１０３】
また、上記実施形態においては、減量のメニューの追加依頼を保健指導の参加者が要求する例を示したが、外部からの登録の要求を受け付けるようにしても良い。減量のメニューを外部から要求する例としては、例えば、食品メーカが新たな食品の摂取のメニューを提案したり、医療機関などが新たな運動のメニューを提案する場合などであり、これらの提案を減量のメニューの追加要求とすることができる。
【０１０４】
また、上記実施形態において、指導者端末装置２００と参加者端末装置３００を異なる計算機で構成した例を示したが、サーバ４００に接続されたインターフェースとして指導者端末装置２００または参加者端末装置３００何れか一方を指導者と参加者で共用しても良い。
【０１０５】
なお、上記実施形態においては、保健指導の対象として減量に関する保健指導支援システムに本発明を適用した例を示したが、保健指導の対象項目としては減量に限定されるものではなく、血圧や血糖値や腹囲など健康に関する指標を保健指導の対象とすることができる。
【産業上の利用可能性】
【０１０６】
以上のように、本発明は保健指導を支援する計算機システムや、計算機システムが提供する保健指導のサービスに適用することができる。
【符号の説明】
【０１０７】
１００  管理者端末装置
２００  指導者端末装置
３００  参加者端末装置
４００  サーバ
５００  ネットワーク
Ｍ１  参加者情報登録手段
Ｍ２  減量プログラム登録手段
Ｍ３  減量記録登録手段
Ｍ４  生活改善項目追加申請手段
Ｍ５  生活改善項目仮登録手段
Ｍ６  生活改善項目本登録手段
Ｍ７  イベント別生活改善項目提示手段
Ｍ８  成功体験登録手段
Ｄ１  指導者管理データベース
Ｄ２  参加者管理データベース
Ｄ３  減量プログラムデータベース
Ｄ４  減量記録データベース
Ｄ５  メニューデータベース
Ｄ６  メニュー実施状況データベース
Ｄ７  メニュー追加候補データベース
Ｄ８  成功体験データベース
【図１】
0005505834.tif 000002
【図２】
0005505834.tif 000003
【図３】
0005505834.tif 000004
【図４】
0005505834.tif 000005
【図５】
0005505834.tif 000006
【図６】
0005505834.tif 000007
【図７】
0005505834.tif 000008
【図８】
0005505834.tif 000009
【図９】
0005505834.tif 000010
【図１０】
0005505834.tif 000011
【図１１】
0005505834.tif 000012
【図１２】
0005505834.tif 000013
【図１３】
0005505834.tif 000014
【図１４】
0005505834.tif 000015
【図１５】
0005505834.tif 000016
【図１６】
0005505834.tif 000017
【図１７】
0005505834.tif 000018
【図１８】
0005505834.tif 000019
【図１９】
0005505834.tif 000020
【図２０】
0005505834.tif 000021